(57)【要約】【課題】  従来の目覚まし装置を、周知の調光回路付き照明装置と結合し、アラームを鳴らす前に光でユーザを目覚めさせる照明装置を提供する。【解決手段】  メイン発光手段と、時間を計算する計時手段と、発音手段と、前記メイン発光手段の明るさを調整する調光回路を有し、予め設定された時刻を記憶し、且つ前記メイン発光手段と計時手段と発音手段とを制御する制御手段とを備え、前記制御手段は、前記予め設定された時刻の所定時間前から、前記予め設定された時刻までの間に、前記調光回路で前記メイン発光手段の明るさを段々強くなるように調整し、前記予め設定された時刻に到達すると、前記発音手段に音を発生させるように制御する。【選択図】  図１
0003135372.tif 000002
【実用新案登録請求の範囲】
【請求項１】
メイン発光手段と、
時間を計算する計時手段と、
発音手段と、
前記メイン発光手段の明るさを調整する調光回路を有し、予め設定された時刻を記憶し、且つ前記メイン発光手段と計時手段と発音手段とを制御する制御手段とを備え、
前記制御手段は、前記予め設定された時刻の所定時間前から、前記予め設定された時刻までの間に、前記調光回路で前記メイン発光手段の明るさを段々強くなるように調整し、前記予め設定された時刻に到達すると、前記発音手段に音を発生させるように制御することを特徴とする照明装置。
【請求項２】
前記制御手段は、操作用の表示パネル及びボタンと、前記予め設定された時刻を記録するメモリと、前記メイン発光手段と計時手段と発音手段とを制御する信号を処理するプロセッサとを有することを特徴とする請求項１に記載する照明装置。
【請求項３】
前記メイン発光手段と別に設けられるナイトライトを更に有することを特徴とする請求項１に記載する照明装置。
【請求項４】
前記制御手段は、他の記録媒体からオーディオデータを前記メモリに転送できるように設けられたデータ転送ポートと、前記メモリに転送されて記録されたオーディオデータを前記発音手段に再生させる再生回路とを更に有することを特徴とする請求項２に記載する照明装置。
【請求項５】
前記制御手段は、他の発音手段と接続して前記メモリに転送されて記録されたオーディオデータを該他の発音手段に再生させるオーディオ出力ポートを更に有することを特徴とする請求項４に記載する照明装置。
【請求項６】
前記データ転送ポートは、ユニバーサルシリアルバス規格のインターフェイスを用いることを特徴とする請求項４に記載する照明装置。
【請求項７】
ナイトライトを更に備えることを特徴とする請求項１に記載する照明装置。
【考案の詳細な説明】
【技術分野】
【０００１】
本考案は照明装置に関し、特に、目覚まし手段を備えた照明装置に関する。
【背景技術】
【０００２】
予め設定された時間を知らせる目覚まし装置は、長く使われてきた生活必須品である。しかし、その目覚まし機能に最も広く使われるアラームが、ユーザだけでなく、他の人をも目覚めさせてしまう事態も、よく起きる。しかし、この好ましくない状況を解決するためアラームによる音響刺激を下げたら、却ってその役割を果たせなくなってしまうという問題点が生じてしまう。
【考案の開示】
【考案が解決しようとする課題】
【０００３】
したがって、本考案は従来の目覚まし装置を、周知の調光回路付き照明装置と結合し、アラームを鳴らす前に光でユーザを目覚めさせる照明装置を提供することを目的とする。
【課題を解決するための手段】
【０００４】
上記目的を達成するため、本考案はメイン発光手段と、時間を計算する計時手段と、発音手段と、前記メイン発光手段の明るさを調整する調光回路を有し、予め設定された時刻を記憶し、且つ前記メイン発光手段と計時手段と発音手段とを制御する制御手段とを備え、前記制御手段は、前記予め設定された時刻の所定時間前から、前記予め設定された時刻までの間に、前記調光回路で前記メイン発光手段の明るさを段々強くなるように調整し、前記予め設定された時刻に到達すると、前記発音手段に音を発生させるように制御することを特徴とする照明装置を提供する。
【０００５】
上記照明装置において、前記制御手段は、操作用の表示パネル及びボタンと、前記予め設定された時刻を記録するメモリと、前記メイン発光手段と計時手段と発音手段とを制御する信号を処理するプロセッサとを有することが好ましい。
【０００６】
上記照明装置において、前記メイン発光手段と別に設けられるナイトライトを更に有することが好ましい。
【０００７】
上記照明装置において、前記制御手段は、他の記録媒体からオーディオデータを前記メモリに転送できるように設けられたデータ転送ポートと、前記メモリに転送されて記録されたオーディオデータを前記発音手段に再生させる再生回路とを更に有することが好ましい。
【０００８】
上記照明装置において、前記制御手段は、他の発音手段と接続して前記メモリに転送されて記録されたオーディオデータを該他の発音手段に再生させるオーディオ出力ポートを更に有することが好ましい。
【０００９】
上記照明装置において、前記データ転送ポートは、ユニバーサルシリアルバス規格のインターフェイスを用いることが好ましい。
【００１０】
上記照明装置において、夜間照明用のナイトライトを更に備えることが好ましい。
【考案の効果】
【００１１】
上記構成によると、本考案はアラームを鳴らす前に、段々明るくなる光でユーザを目覚めさせることが出来、そして目覚し機能を使わないときにも、通常の照明手段として利用することができる照明装置を提供することができる。
【考案を実施するための最良の形態】
【００１２】
図１に示すのは本考案の構成を示すブロック図である。図示のように、本考案の照明装置は、メイン発光手段２と、発音手段６と、計時手段７と、制御手段４とを備えてなるものである。制御手段４は、メイン発光手段２の明るさを調整する調光回路４２と、操作用の表示パネル／ボタン４３と、発音手段６にアラームを鳴らすアラーム回路４４と、発音手段６にオーディオデータを再生させるデジタルオーディオ再生回路４５と、各種必要なデータ（例えば表示パネル／ボタン４３により予め設定された時刻や、デジタルオーディオ再生回路４５に再生させるオーディオデータ）を記録するメモリ４６と、各種の処理や制御を実行するプロセッサ４７と、他の記録媒体からオーディオデータをメモリ４６に転送して記録させるデータ転送ポート４８と、他の発音手段と接続し、メモリ４６に記録されたオーディオデータを該他の発音手段に再生させるオーディオ出力ポート４９とを有している。
【００１３】
本考案において、制御手段４により行われる時間に関するすべての制御は、すべて計時手段７により計られた時間を基準とする。そして、本考案の制御手段４を、予め設定された時刻の所定時間前から、その予め設定された時刻までの間に、調光回路４２でメイン発光手段２の明るさを段々と強くなるように調整し、そして、その予め設定された時刻に到達すると、アラーム回路４４で発音手段２にアラームを鳴らせるように構成する。
【００１４】
また、データ転送ポート４８はユニバーサルシリアルバス規格のインターフェイスを用いることによって、簡単にコンピュータなどのハードディスクなどの記録媒体からオーディオデータをメモリ４６に転送することができる。
【００１５】
続いて、図２を参照して本考案の実施例について説明する。図２に示すのは本考案の一例として挙げられた照明装置である。その照明装置１０には卵殻状の本体収容部５１と、本体収容部５１の上端部から略管状に延伸し、一部が光が透過できるライトマスク５２１に形成される電灯収容部５２と、電灯収容部５２の反対側に設けられるナイトライト収容部５３とからなるケース５を有するものである。
【００１６】
上記メイン発光手段２としての蛍光灯２１は電灯収容部５２内に配置され、ナイトライト３１はナイトライト収容部５３に配置され、表示パネル／ボタン４３やデータ転送ポート４８、オーディオ出力ポート４９は本体収容部５１の表面に配置されており、制御手段４のほかの部分と発音手段６としてのスピーカ（図示せず）はすべて本体収容部５１内に配置されている。更に、その照明装置１０には電源手段としての電気コード６１とプラグ６２を有している。
【００１７】
更に、パネル／ボタン４３については、中央に配置されている表示パネル４３０と、表示パネル４３０の上側に配置されて電灯収容部５２の下端まで延伸する照明制御ボタン４３１と、表示パネル４３０下側に配置されているモード切替ボタン４３２と、表示パネル４３０左右両側に２つずつ配置される総合操作ボタン４３３、４３３、４３３、４３３とを備えている。表示パネル４３０には照明装置１０の状態や、目覚まし時間の設定などに必要な情報を表示する。照明制御ボタン４３１についての操作は以下のように設定されている。照明制御ボタン４３１を一回押せば蛍光灯２１のＯＮ／ＯＦＦを切り替えることができ、二回連続押せばナイトライト３１をＯＮすることと共に蛍光灯２１をＯＦＦにすることができる。更に、照明制御ボタン４３１を押しつづければ蛍光灯２１の明るさを調整することができる。モード切替ボタン４３２を押すことによって総合操作ボタン４３３、４３３、４３３、４３３の操作機能を切り替えることができる。例えば、目覚まし設定モードに切り替えると、総合操作ボタン４３３、４３３、４３３、４３３で目覚ましの時間を設定することができる。そして、オーディオ再生モードに切り替えると、総合操作ボタン４３３、４３３、４３３、４３３で再生するオーディオデータまたはファイル、スピーカのボリュームなどを設定することができる。
【００１８】
更に、照明装置１０に目覚まし時間が設定され、その目覚まし時間の３０分前になると、制御手段４はまず蛍光灯２１をＯＮにし、調光回路４２でその最大明るさの４０％に維持する。それから、５分が過ぎる度に明るさを１０％増え、その目覚まし時間に到達すると明るさも最大となり、アラーム回路４４で発音手段としてのスピーカにアラームを鳴らせる。
【産業上の利用可能性】
【００１９】
上記構成によると、本考案はアラームを鳴らす前に、段々明るくなる光でユーザを目覚めさせることが出来、そして目覚し機能を使わないときにも、通常の照明手段として利用することができ、且つオーディオ再生機能も持つ多機能の照明装置を提供することができる。
【図面の簡単な説明】
【００２０】
【図１】本考案の構成を示すブロック図である。
【図２】本考案の一例として挙げられた照明装置を示す図である。
【符号の説明】
【００２１】
２        メイン発光手段
４        制御手段
６        発音手段
７        計時手段
１０      照明装置
２１      蛍光灯
３１      ナイトライト
４２      調光回路
４３      表示パネル／ボタン
４４      アラーム回路
４５      デジタルオーディオ再生回路
４６      メモリ
４７      プロセッサ
４８      データ転送ポート
４９      オーディオ出力ポート
５１      本体収容部
５２      電灯収容部
５３      ナイトライト収容部
６１      電気コード
６２      プラグ
４３０    表示パネル
４３１    照明制御ボタン
４３２    モード切替ボタン
４３３、４３３、４３３、４３３  総合操作ボタン
５２１    ライトマスク
【図１】
0003135372.tif 000003
【図２】
0003135372.tif 000004